(57)【要約】【課題】ランプ点灯中にレンズキャップが投射レンズに装着された場合に、ランプ電源を切断しなくともレンズキャップの変形防止を確実に行えるプロジェクタを提供する。【解決手段】ランプ１３からの光を液晶パネル１７Ｒ，１７Ｇ，１７Ｂで変調し、その変調された光を投射レンズで投射するプロジェクタ１であって、投射レンズを保護するためのレンズキャップの装着の有無を検知する検知部５と、検知部５からの信号によりレンズキャップが装着されていると判断したときに、ランプ１３からの光を遮光または減光するように液晶パネル１７Ｒ，１７Ｇ，１７Ｂを制御する投写表示制御部１８とを備えたものである。【選択図】        図３
2004245986.tif 000002
【特許請求の範囲】
【請求項１】
ランプからの光を光変調装置で変調し、その変調された光を投射レンズで投射するプロジェクタであって、
前記投射レンズを保護するためのレンズキャップの装着の有無を検知する検知部と、
該検知部からの信号によりレンズキャップが装着されていると判断したときに、ランプからの光を遮光または減光するように前記光変調装置を制御する投写表示制御部と
を備えたことを特徴とするプロジェクタ。
【請求項２】
前記投写表示制御部は、該検知部からの信号によりレンズキャップが取り外されたと判断したとき、ランプからの光を遮光または減光する前の画面に戻すように前記光変調装置を制御することを特徴とする請求項１記載のプロジェクタ。
【請求項３】
前記投写表示制御部は、投写画面が黒、グレーまたは青となるように前記光変調装置を制御することでランプからの光を遮光または減光することを特徴とする請求項１または請求項２記載のプロジェクタ。
【請求項４】
前記検知部が、マイクロスイッチであることを特徴とする請求項１乃至請求項３の何れかに記載のプロジェクタ。
【請求項５】
前記光変調装置は、液晶パネルと、該液晶パネルの入射側及び出射側にそれぞれ配置された偏光板とを備えてなることを特徴とする請求項１乃至請求項４の何れかに記載のプロジェクタ。
【発明の詳細な説明】
【０００１】
【発明の属する技術分野】
本発明は、プロジェクタに関するものである。
【０００２】
【従来の技術】
投射レンズを利用して画像を投写するプロジェクタにおいては、通常、その投射レンズを外傷などから保護するためのキャップが付属されている。また、プロジェクタには、光源としてのランプが備えられている。プロジェクタに用いられるランプには、高輝度のものが採用されているため、ランプ点灯中に誤ってレンズキャップを投射レンズに装着してしまった場合、ランプからの熱によりレンズキャップが溶けて変形してしまうという問題が発生する。このような問題を解決するために、従来、レンズキャップの装着を検出するレンズキャップ検出器を設け、レンズキャップが装着されているときはランプ電源を切断するようにした液晶プロジェクタがある（例えば、特許文献１参照）。
【０００３】
【特許文献１】
特開２００２−２５８２３８号公報
【０００４】
【発明が解決しようとする課題】
ところで、レンズキャップは、例えばプレゼンテーションの際に一時的に投写画面を黒画面とするべく意識的に投射レンズに装着されることがある。このような場合、上記従来技術のプロジェクタでは、レンズキャップの装着が検出されてランプ電源が切断されてしまう。そうすると、レンズキャップを取り外して、再度、元の投写映像に戻りたい場合、ランプを再点灯させる必要がある。しかしながら、プロジェクタに用いられるランプは、その構成上、再点灯までに時間を要するため、元の投写映像に瞬時に戻ることができず、ランプが再点灯可能な状態となるまで待機しなければならないという問題があった。
【０００５】
本発明は、このような点に鑑みなされたもので、ランプ点灯中にレンズキャップが投射レンズに装着された場合に、ランプ電源を切断しなくともレンズキャップの変形防止を確実に行えるプロジェクタを提供する。
【０００６】
【課題を解決するための手段】
本発明に係るプロジェクタは、ランプからの光を光変調装置で変調し、その変調された光を投射レンズで投射するプロジェクタであって、投射レンズを保護するためのレンズキャップの装着の有無を検知する検知部と、検知部からの信号によりレンズキャップが装着されていると判断したときに、ランプからの光を遮光または減光するように光変調装置を制御する投写表示制御部とを備えたものである。これによれば、レンズキャップが投射レンズに装着されている場合には、ランプからの光を遮光または減光するように光変調装置が自動的に制御される。したがって、投射レンズの前方に光による熱が発生するのを抑えることができるため、従来のようにランプ電源を切断しなくとも、レンズキャップの溶解による変形を確実に防止することができる。
【０００７】
また、本発明に係るプロジェクタは、上記投写表示制御部が、検知部からの信号によりレンズキャップが取り外されたと判断したときは、ランプからの光を遮光または減光する前の画面に戻すように光変調装置を制御するものである。これによれば、レンズキャップが取り外された際には、従来のようにランプが点灯するまで待つことなく瞬時に元の映像に戻ることができ、非常に使い勝手が良い。
【０００８】
また、本発明に係るプロジェクタは、上記投写表示制御部が、投写画面を黒、グレーまたは青となるように光変調装置を制御することでランプからの光を遮光または減光するものである。このように、投写画面の色が黒、グレーまたは青とんなるように光変調装置を制御することにより、ランプからの光を光変調装置で遮光または減光することができる。
【０００９】
また、本発明に係るプロジェクタは、検知部を、マイクロスイッチとしたものである。このように、検知部にマイクロスイッチを採用することができる。マイクロスイッチを採用した場合、マイクロスイッチは安価であるため、低コストで検知部を構成できる。
【００１０】
また、本発明に係るプロジェクタは、光変調装置が、液晶パネルと、この液晶パネルの入射側及び出射側にそれぞれ配置された偏光板とを備えてなるものである。このように、光変調装置として、液晶パネルと、この液晶パネルの入射側及び出射側にそれぞれ配置された偏光板とを備えたものを用いることができる。
【００１１】
【発明の実施の形態】
以下、本発明の一実施の形態の図面に基づいて説明する。
まず、本発明の要部の説明に先だって、プロジェクタの光学系の構成について説明する。
【００１２】
図５はプロジェクタの光学系を示す構成図であり、この図５を参照しながら、その光学系の構成および作用を以下に説明する。
【００１３】
この光学系は、照明光学系２３、色光分離光学系８、リレー光学系２５、液晶パネル１７Ｒ，１７Ｇ，１７Ｂ、色光合成のためのクロスダイクロイックプリズム９、および投射レンズ３などから構成されている。
【００１４】
照明光学系２３は、ランプ１３、リフレクタ２０、インテグレータレンズを構成する第１および第２レンズアレイ２１，２２、光の進行方向を調整する反射ミラー３１、および重畳レンズ３２とを備えている。なお、照明光の進行方向の調整が不要な構成の場合には反射ミラー３１は不要である。
【００１５】
第１レンズアレイ２１は、略矩形状の輪郭を有する小レンズ２１１がＭ行Ｎ列のマトリクス状に配列された構成を有している。各小レンズ２１１は、ランプ１３から入射された平行な光束を複数の（すなわちＭ×Ｎ個の）部分光束に分割し、各部分光束を第２レンズアレイ２２の近傍で結像させる。各小レンズ２１１の輪郭の形状は、液晶パネル１７Ｒ，１７Ｇ，１７Ｂの画像形成領域の形状とほぼ相似形をなすように設定されている。例えば、液晶パネル１７Ｒ，１７Ｇ，１７Ｂの画像形成領域のアスペクト比（横と縦の寸法の比率）が４：３であるならば、各小レンズのアスぺクト比も４：３に設定される。
また、第２レンズアレイ２２も、第１レンズアレイ２１の小レンズ２１１に対応して、小レンズ２２１がＭ行Ｎ列のマトリクス状に配列された構成を有している。
【００１６】
色光分離光学系８は、２枚のダイクロイックミラー４１，４２と反射ミラー４３とを備え、照明光学系２３の重畳レンズ３２から出射される光を、赤、緑、青の３つの色光に分離する機能を有している。
リレー光学系２５は、ダイクロイックミラー４２からの透過光に対応する光路で、入射側レンズ５４、反射ミラー７１，７２、およびリレーレンズ７３を備えている。
【００１７】
液晶パネル１７Ｒ，１７Ｇ，１７Ｂは、例えば、ポリシリコンＴＦＴをスイッチング素子として用いたもので、クロスダイクロイックプリズム９の３側面と対向するように、クロスダイクロイックプリズム９に固定部材を介して接着固定されている。また、各液晶パネル１７Ｒ，１７Ｇ，１７Ｂの光入出射面側には、入射側偏光板６０Ｒ，６０Ｇ，６０Ｂが、そして光出射面側には出射側偏光板６１Ｒ，６１Ｇ，６１Ｂがそれぞれ配置されている。この液晶パネル１７Ｒ，１７Ｇ，１７Ｂ、入射側偏光板６０Ｒ，６０Ｇ，６０Ｂ、出射側偏光板６１Ｒ，６１Ｇ，６１Ｂにより、本発明の光変調装置としての液晶ライトバルブ７００Ｒ，７００Ｇ，７００Ｂが構成されている。
【００１８】
入射側偏光板６０Ｒ，６０Ｇ，６０Ｂ及び出射側偏光板６１Ｒ，６１Ｇ，６１Ｂは、それぞれ一方の偏光光のみを通過して他方の偏光光を遮断するものである。入射側偏光板６０Ｒ，６０Ｇ，６０Ｂは、ここではＳ偏光光を通過するもので、色光分離光学系によって分離された各色光束のＳ偏光成分を通過する。入射側偏光板６０Ｒ，６０Ｇ，６０Ｂを通過したＳ偏光光は、液晶パネル１７Ｒ，１７Ｇ，１７Ｂによって変調され、その変調光のうちＰ偏光成分のみが出射側偏光板６１Ｒ，６１Ｇ，６１Ｂから透過されるようになっている。
【００１９】
クロスダイクロイックプリズム９は、赤、緑，青の３色の色光を合成してカラー画像を形成するもので、赤光を反射する誘電体多層膜と、青光を反射する誘電体多層膜とが、４つの直角プリズムの界面に沿って略Ｘ字状に形成され、これらの誘電体多層膜によって上記３つの色光が合成される。そして、クロスダイクロイックプリズム９の出射面側に、投射レンズ３が配置されている。
【００２０】
続いて、上記光学系の作用を説明する。ランプ１３から射出された光はリフレクタ２０で反射されて、第１および第２レンズアレイ２１，２２で構成されるインテグレータレンズに入る。インテグレータレンズは、第１レンズアレイ２１の各レンズセルで形成される像を、第２レンズアレイ２２および重畳レンズ３２により各液晶パネル１７Ｒ，１７Ｇ，１７Ｂの画像表示面に結像させることで、光の利用率を向上させかつ照明むらを改善する作用を果たす。そして、重畳レンズ３２を出た光は、続いて色光分離光学系８に入る。
【００２１】
色光分離光学系８の第１ダイクロイックミラー４１では、照明光学系２３から出射された光束の赤色光成分を反射するとともに、青色光成分と緑色光成分とを透過させる。第１ダイクロイックミラー４１によって反射した赤色光は、反射ミラー４３を介して、フィールドレンズ５１に入り、さらに赤色光用の液晶パネル１７Ｒに達する。このフィールドレンズ５１は、各部分光束をその中心軸（主光線）に対して平行な光束に変換する。他の液晶パネル１７Ｇ，１７Ｂの前に設けられたフィールドレンズ５２，５３も同様に作用する。
【００２２】
第１ダイクロイックミラー４１を透過した青色光と緑色光のうちで、緑色光は第２ダイクロイックミラー４２によって反射し、フィールドレンズ５２を通って緑色光用の液晶パネル１７Ｇに達する。一方、青色光は第２ダイクロイックミラー４２を透過してリレー光学系２５を通り、さらにフィールドレンズ５３を通って青色光用の液晶パネル１７Ｂに達する。
【００２３】
色光分離光学系８で分離された赤、緑、青の各色光は、液晶パネル１７Ｒ，１７Ｇ，１７Ｂに入射するにあたり、上述したように入射側偏光板６０Ｒ，６０Ｇ，６０ＢでＳ偏光光のみとされる。この後、各Ｓ偏光光は、各液晶パネル１７Ｒ，１７Ｇ，１７Ｂにおいて投写表示制御部１８より与えられた画像情報に従って変調され、変調光として出射側偏光板６１Ｒ，６１Ｇ，６１Ｂに出射される。この出射側偏光板６１Ｒ，６１Ｇ，６１Ｂにおいては、変調光のうちのＰ偏光光のみが透過し、クロスダイクロイックプリズム９に入射する。そして、各色光はクロスダイクロイックプリズム９で合成されて合成光となり、投射レンズ３からスクリーンにカラー画像として投射される。
【００２４】
なお、照明光学系２３の所定位置、例えば、第２レンズアレイ２２と重畳レンズ３２との間に、ランプ１３からのＰ偏光およびＳ偏光の双方を含む照明光を、その一方の偏光光に揃える偏光ビームスプリッタを配置すると、液晶パネルにおいて、ランプ１３から入射した光を無駄にすることなく、そのほぼ全てを利用することが可能となる。
【００２５】
以上の説明によりプロジェクタの光学系の構成が明らかになったところで、以下に、本発明の特徴部分について説明する。
【００２６】
図１は本発明の一実施の形態のプロジェクタの外観斜視図である。図２は図１の平面図で、（ａ）は全体平面図、（ｂ）は（ａ）の点線Ａで囲んだ部分の拡大平面図を示している。
プロジェクタ１において、外装ケース２の前部側に配置された投射レンズ３には、未使用時に投射レンズ３を保護するためのレンズキャップ４が着脱自在に装着されるようになっている。このレンズキャップ４は、黒色のプラスチックなどの遮光部材から構成されている。プロジェクタ１の外装ケース２において投射レンズ３の近傍には、レンズキャップ４の装着の有無を検知する検知部５が取り付けられている。検知部５として、ここではマイクロスイッチが用いられている。
【００２７】
マイクロスイッチは、レンズキャップ４が投射レンズ３に装着された際、レンズキャップ４の側面によりレバー５ａが押圧されて内部のスイッチがオンし、後述の制御部１２に装着信号を出力する。また、レンズキャップ４が取り外された際、レバー５ａが元の位置に復帰して内部のスイッチがオフし、後述の制御部１２に未装着信号を出力するようになっている。なお、検知部５は、マイクロスイッチに限定されるものではなく、他のメカセンサや光センサ等を用いて構成しても良い。ただし、このように構成が単純で価格が安いスイッチとして知られるマイクロスイッチを用いれば、検知部５を低コストで構成することができる。
【００２８】
図３は、本発明の一実施の形態の要部の構成を示すブロック図である。
プロジェクタ１は、検知部５からの装着／未装着信号を後述の制御部１２に出力するＩ／Ｏ部１１と、Ｉ／Ｏ部１１からの信号に基づいて後述の投写表示制御部１８を制御すると共に、プロジェクタ１全体を統括して制御するマイコンからなる制御部１２とを備えている。
【００２９】
また、プロジェクタ１の電源投入によって点灯する前述のランプ１３と、ランプ１３を駆動するランプ駆動部１４と、ランプ１３および／または液晶パネル１７Ｒ，１７Ｇ，１７Ｂを冷却するためのファン１５と、ファン１５を駆動するファン駆動部１６とを備えている。
【００３０】
また、外部から入力された映像信号を液晶パネル１７Ｒ，１７Ｇ，１７Ｂに供給すると共に、制御部１２からの制御信号に従って液晶ライトバルブ７００Ｒ，７００Ｇ，７００Ｂ（図５参照）の液晶パネル１７Ｒ，１７Ｇ，１７Ｂの種々の動作を制御する投写表示制御部１８を備えている。
【００３１】
以下、各部の詳細について説明する。
制御部１２は、Ｉ／Ｏ部１１を介して検知部５からの装着／未装着信号が入力され、その入力信号に応じた制御信号を投写表示制御部１８に出力する。すなわち、検知部５から装着信号が入力された場合には、ランプ１３から出射された光を液晶パネル１７Ｒ，１７Ｇ，１７Ｂで遮光または減光するための遮光制御信号を投写表示制御部１８に出力する。この遮光制御信号は、具体的には投写画面が黒、グレーまたは青となるように液晶パネル１７Ｒ，１７Ｇ，１７Ｂを制御するための信号である。また、検知部５から未装着信号が入力された場合には、ランプ１３から照射された光を液晶パネル１７Ｒ，１７Ｇ，１７Ｂで遮光または減光する前の画面に戻すための遮光解除制御信号を投写表示制御部１８に出力する。
【００３２】
投写表示制御部１８は、例えばパソコンなどで表示された画像または予め内部に記憶しておいた映像信号を読み込み、それをＲＧＢ信号として対応する液晶パネル１７Ｒ，１７Ｇ，１７Ｂに供給する。また、制御部１２からの制御信号が入力され、遮光制御信号が入力された場合には、投写画面が黒、グレーまたは青となるように液晶パネル１７Ｒ，１７Ｇ，１７Ｂを制御する。
【００３３】
ここで、投写画面を黒画面またはグレー画面とするには、液晶ライトバルブ７００Ｒ，７００Ｇ，７００Ｂ（図５参照）において、各液晶パネル１７Ｒ，１７Ｇ，１７Ｂの出射側に配置された出射側偏光板６１Ｒ，６１Ｇ，６１Ｂ（図５参照）によって、液晶パネル１７Ｒ，１７Ｇ，１７Ｂを通過した光の全てを遮光するかまたは一部を遮光することにより実現される。よって、投写表示制御部１８は、液晶パネル１７Ｒ，１７Ｇ，１７Ｂを出射する光が出射側偏光板６１Ｒ，６１Ｇ，６１Ｂを通過しない光となるように液晶パネル１７Ｒ，１７Ｇ，１７Ｂを制御する。
【００３４】
また、投写画面を青画面とするには、赤色光及び緑色光を出射側偏光板６１Ｒ，６１Ｇ（図５参照）で遮光することにより実現される。よって、投写表示制御部１８は、液晶パネル１７Ｒ，１７Ｇを出射する光が出射側偏光板６１Ｒ，６１Ｇ，６１Ｂを通過しない光となるように液晶パネル１７Ｒ，１７Ｇを制御する。なお、本例では、制御部１２から投写表示制御部１８に遮光制御信号が入力された場合、投写表示制御部１８は、投写画面を黒画面となるように液晶パネル１７Ｒ，１７Ｇ，１７Ｂを制御するものとする。
【００３５】
ランプ駆動部１４は、ランプ１３に駆動電力を供給するための電源回路であり、外部から供給された電力を変圧してランプ１３に供給するものである。このランプ駆動部１４は制御部１２によってランプ１３への電力供給量が制御され、それによりランプ１３の出力輝度が調整される。
ファン駆動部１６は、モータなどから構成され、ランプ１３および／または液晶パネル１７Ｒ，１７Ｇ，１７Ｂに冷却風を送るためのファン１５に動力を供給するものであり、その動力供給量は制御部１２によって制御される。なお、最近の高輝度ランプは、その使用時にかなりの発熱を生じるため、ランプの冷却が特に重要となってきている。
【００３６】
以下、本実施の形態の動作を説明する。図４は本実施の形態の動作の流れを示すフロチャートである。
プロジェクタ１の電源が投入され、ランプ１３が点灯して通常の映像表示が行われている際にレンズキャップ４が装着された場合（Ｓ１）、検知部５からの装着信号がＩ／Ｏ部１１を介して制御部１２に入力される。制御部１２は、検知部５からの装着信号により、レンズキャップ４が装着されたものと判断する。そして、遮光制御信号を投写表示制御部１８に出力し、投写表示制御部１８が、各液晶パネル１７Ｒ，１７Ｇ，１７Ｂを制御して投写画面を黒画面とする（Ｓ２）。
【００３７】
ここで、この黒画面表示は、上述したようにランプ１３から出射された光を、出射側偏光板６１Ｒ，６１Ｇ，６１Ｂ（図５参照）で全て遮光することにより実現されるものである。従って、黒画面表示の間、投射レンズ３にはランプ１３からの光が到達せず、投射レンズ３の前方には熱が発生しない。このため、例えばプレゼンテーションの途中で、一時的に投写画面を黒画面としたい場合や、映像投写中に誤ってなどから、レンズキャップ４が投射レンズ３に装着されたとしても、レンズキャップ４が溶けて変形するなどの不都合を阻止することができる。なお、投写画面がグレー画面、青画面となるように制御する場合も同様に、ランプ１３から出射された光が出射側偏光板６１Ｒ，６１Ｇ，６１Ｂで適宜遮光されるため、投射レンズ３に到達する光の量が軽減され、レンズキャップ４の変形を阻止することができるようになっている。
【００３８】
この黒画面表示は、レンズキャップ４が取り外されるまでの間、すなわち制御部１２に検知部５からの未装着信号が入力されるまでの間、継続される。そして、検知部５からの未装着信号が入力されると、制御部１２は、レンズキャップ４が取り外されたものと判断し（Ｓ３）、通常の映像表示に切り替えるための遮光解除制御信号を投写表示制御部１８に出力する。すると、投写表示制御部１８が、各液晶パネル１７Ｒ，１７Ｇ，１７Ｂを制御して投写画面を通常の映像表示に切り替える（Ｓ４）。これにより投写画面が元の映像画面に戻る。その後は、ステップＳ１からの動作が繰り返される。すなわち、次に制御部１２に装着信号が入力されるまでの間、ステップＳ１はＮＯとなってステップＳ４の通常映像表示が継続され、レンズキャップ４が装着されてステップＳ１がＹＥＳとなれば、上述したステップＳ２の処理に移行することになる。
【００３９】
以上には、通常の映像表示が行われている際にレンズキャップ４が装着された場合について説明してきたが、電源投入のタイミングでも同様にレンズキャップ４の装着の有無を判断するようにしている。すなわち、制御部１２は、電源投入時において、検知部５からの装着／未装着信号をＩ／Ｏ部１１を介して取得する。そして、検知部５からの信号により、レンズキャップ４が装着されていると判断した場合（Ｓ１）、すなわち、レンズキャップ４が装着された状態で電源が投入された場合には、ステップＳ２に移行して黒画面表示を行わせる。一方、装着されていないと判断した場合、すなわち電源投入時にレンズキャップ４が装着されていない場合には、ステップＳ４に移行して表示すべき通常の映像表示を行う。
【００４０】
以上に説明したように、本実施の形態においては、レンズキャップ４が投射レンズ３に装着された場合には、液晶ライトバルブ７００Ｒ，７００Ｇ，７００Ｂ（図５参照）の液晶パネル１７Ｒ，１７Ｇ，１７Ｂを制御してランプ１３からの光を液晶パネル１７Ｒ，１７Ｇ，１７Ｂで遮光または減光するようにした。このため、投射レンズ３の前方に光による熱が発生するのを抑えることができ、よって、従来のようにランプ電源を切断することなくレンズキャップ４の溶解による変形を確実に防止することができる。したがって、映像投写中に誤ってレンズキャップ４が投写レンズ３に装着されてしまった場合のレンズキャップ４の変形という不都合を確実に解消することができる。
【００４１】
また、プレゼンテーションの途中で投写画面を一時的に黒画面としたい場合のように、意図的にレンズキャップ４を装着した場合でも、同様に上記不都合を解消できる。この場合に関し、言い換えて説明すれば、投写画面を一時的に黒画面としたい場合には、単にレンズキャップ４を投射レンズ３に装着するだけでレンズキャップ４の変形等の不都合無く黒画面とすることができて、使い勝手が良い。また、本例では、レンズキャップ４が黒色のプラスチックなどの遮光部材で構成されているため、レンズキャップ４で完全に光が遮光され、確実に黒画面とすることができるようになっている。
【００４２】
また、上述したように、ランプ１３の電源を切断することなく、レンズキャップ４の変形を防止することができ、また、レンズキャップ４が取り外された際には、レンズキャップ装着前の画面に戻すようにしたため、従来のようにランプが点灯するまで待つことなく瞬時に元の映像に戻ることができ、非常に使い勝手が良い。
【００４３】
なお、上記実施の形態では、透過型の液晶パネルを用いたプロジェクタに本発明を適用した場合を例に説明したが、本発明は、反射型の液晶パネルを用いたプロジェクタにも適用することが可能である。ここで、「透過型」とは、液晶パネルが光を透過するタイプであることを意味しており、「反射型」とは液晶パネルが光を反射するタイプであることを意味している。
【００４４】
また、上記実施の形態では、ランプからの光を変調する光変調装置の光変調素子として液晶パネルが用いられていたが、液晶パネルに限られず、例えば、マイクロミラーを用いた装置や、ＣＣＤ（電荷結合素子）を用いても良く、これらを備えたプロジェクタに本発明を適用することも可能である。
【００４５】
さらに、投写型のプロジェクタとしては、投写像を観察する方向から投写を行う前面投写型プロジェクタと、投写像を観察する方向とは反対側から投写を行う背面投写型プロジェクタとがあるが、本発明は、その何れにも適用可能である。
【００４６】
また、上記実施の形態では、３つの液晶パネルを用いたいわゆる３板方式のプロジェクタに本発明を適用した場合を例に示したが、これに限られず、例えば液晶パネルを２枚又は４枚用いた２板方式又は４板方式のプロジェクタに本発明を適用することも可能である。
【図面の簡単な説明】
【図１】本発明の一実施の形態のプロジェクタの外観斜視図。
【図２】図１の平面図。
【図３】本発明の一実施の形態の要部の構成を示すブロック図。
【図４】本実施の形態の動作の流れを示すフロチャート。
【図５】プロジェクタの光学系を示す構成図。
【符号の説明】
１  プロジェクタ、３  投射レンズ、４  レンズキャップ、５  検知部、１４ランプ、１７Ｒ，１７Ｇ，１７Ｂ  液晶パネル、１８  投写表示制御部
【図１】
2004245986.tif 000003
【図２】
2004245986.tif 000004
【図３】
2004245986.tif 000005
【図４】
2004245986.tif 000006
【図５】
2004245986.tif 000007